(57)【要約】【課題】作業性を高めたプリンターを提供する。【解決手段】開口部を有し内部に空間が設けられた筐体と、前記筐体の前記開口部を塞ぐカバーと、前記開口部から前記筐体の前記内部に用紙を収容可能な収容部と、前記カバーの上方で且つ前記筐体に連結されるテーブルと、を有し、前記テーブルは、前記筐体から突出する水平位置に位置させることが可能であり且つ前記水平位置よりも上方に折り畳むことが可能である。【選択図】図４
2015033805.tif 000002
【特許請求の範囲】
【請求項１】
開口部を有し内部に空間が設けられた筐体と、
前記筐体の前記開口部を塞ぐカバーと、
前記開口部から前記筐体の前記内部に用紙を収容可能な収容部と、
前記カバーの上方で且つ前記筐体に連結されるテーブルと、を有し、
前記テーブルは、前記筐体から突出する水平位置に位置させることが可能であり且つ前記水平位置よりも上方に折り畳むことが可能であることを特徴とするプリンター。
【請求項２】
請求項１に記載のプリンターにおいて、
前記テーブルを固定する固定部を有し、
前記固定部は前記テーブルを前記水平位置と前記水平位置よりも上方に前記テーブルを折り畳んだ位置とに固定可能であることを特徴とするプリンター。
【請求項３】
請求項１または請求項２に記載のプリンターにおいて、
前記テーブルの水平位置は前記プリンターが設置される設置面から７０ｃｍから１２０ｃｍの位置にあることを特徴とするプリンター。
【発明の詳細な説明】
【技術分野】
【０００１】
本発明は、プリンターに関する。
【背景技術】
【０００２】
従来、例えば、用紙を筐体内に収容し、キーボード等の入力装置を載置可能なテーブル設けられているプリンターが知られている（例えば、特許文献１参照）。
【先行技術文献】
【特許文献】
【０００３】
【特許文献１】特開２０００−７１５５４号公報
【発明の概要】
【発明が解決しようとする課題】
【０００４】
しかしながら、上記プリンターでは、テーブルが水平の一枚板であるので、プリンターの背面を壁に近づけて設置していると、テーブルは常に筐体から突出した状態となる。このような状態で、例えば、筐体内に収容された用紙の交換作業等を行う際、テーブルが邪魔になり、作業効率が低下してしまう。テーブルを後方に水平移動させることが出来る場所に設置すれば、作業性の低下は解消されるものの、それには、プリンターの後方に広いスペースを確保しておく必要があり、狭い場所に設置することが出来ない。そこで、本願発明は、狭い設置場所においても、作業効率の良いプリンターを提供することを目的とする。
【課題を解決するための手段】
【０００５】
本発明は、上述の課題を解決するためになされたものであり、以下の形態または適用例として実現することが可能である。
【０００６】
［適用例１］本適用例にかかるプリンターは、開口部を有し内部に空間が設けられた筐体と、前記筐体の前記開口部を塞ぐカバーと、前記開口部から前記筐体の前記内部に用紙を収容可能な収容部と、前記カバーの上方で且つ前記筐体に連結されるテーブルと、を有し、前記テーブルは、前記筐体から突出する水平位置に位置させることが可能であり且つ前記水平位置よりも上方に折り畳むことが可能であることを特徴とする。
【０００７】
この構成によれば、カバーの上方の筐体に連結されたテーブルは、水平位置に位置させることが可能であるとともに、水平位置よりも上方に折り畳むことが可能である。従って、テーブルが水平位置の状態では、例えば、テーブル上にキーボード等の入力装置を載置することにより、入力作業を容易に行うことができる。また、例えば、収容部から用紙を取り付け或いは取り外しする際には、テーブルを水平位置よりも上方に折り畳む。これにより、筐体に対するテーブルの出っ張り量が低減されるため、テーブルが用紙の交換作業の邪魔になることが無くなり、作業性を向上させることができる。
【０００８】
［適用例２］上記適用例にかかるプリンターは、前記テーブルを固定する固定部を有し、前記固定部は前記テーブルを前記水平位置と前記水平位置よりも上方に前記テーブルを折り畳んだ位置とに固定可能であることを特徴とする。
【０００９】
この構成によれば、テーブルが水平位置とテーブルが折り畳められた位置のそれぞれの状態で固定される。これにより、それぞれの状態においてテーブルが固定され安定するため、テーブルが水平位置での作業とテーブルが折り畳められた位置での作業の何れの場合でも、作業性をさらに向上させることができる。
【００１０】
［適用例３］上記適用例にかかるプリンターは、前記テーブルの水平位置は前記プリンターが設置される設置面から７０ｃｍから１２０ｃｍの位置にあることを特徴とする。
【００１１】
この構成によれば、テーブルにキーボード等を置くような場合、作業者が立ったままで作業をし易くなり、作業性を高めることができる。
【図面の簡単な説明】
【００１２】
【図１】プリンターの構成を示す概略図。
【図２】プリンターの外観を示す外観図。
【図３】テーブル周辺の構成を示す一部拡大図。
【図４】テーブルの固定方法を示す説明図。
【図５】用紙の交換時の状態を示す説明図。
【発明を実施するための形態】
【００１３】
以下、本発明の実施形態について、図面を参照して説明する。なお、以下の各図においては、各部材等を認識可能な程度の大きさにするため、各部材等の尺度を実際とは異ならせて示している。
【００１４】
まず、プリンターの構成について説明する。本実施形態にかかるプリンターは、開口部を有し内部に空間が設けられた筐体と、筐体の開口部を塞ぐカバーと、開口部から筐体の内部に用紙を収容可能な収容部と、カバーの上方で且つ筐体に連結されるテーブルと、を有し、テーブルは、筐体から突出する水平位置に位置させることが可能であり且つ水平位置よりも上方に折り畳むことが可能に構成されたものである。以下、具体的に説明する。なお、本実施形態では、用紙を搬送し、当該用紙上に紫外線硬化インクを塗布して画像を形成するプリンターの構成を例に挙げて説明する。
【００１５】
図１は、プリンターの構成を示す概略図である。図１に示すように、本実施形態のプリンター１は、繰出軸２０から用紙としてのシートＳを繰り出す繰出部２と、繰出部２から繰り出されたシートＳに画像を記録するプロセス部３と、プロセス部３で画像が記録されたシートＳを巻取軸４０に巻き取る巻取部４を備えている。そして、これらの繰出部２、プロセス部３及び巻取部４は、筐体１０の内部に収容されている。当該筐体１０は、開口部１１（１１ａ，１１ｂ）を有し、筐体１０の内部には空間が設けられている。そして、各開口部１１ａ，１１ｂに連通し筐体１０の内部にシートＳを収納可能な収容部１５ａ，１５ｂを備えている。当該プリンター１では、繰出部２の繰出軸２０及び巻取部４の巻取軸４０にロール状に巻き付けられた１枚のシートＳが、繰出軸２０と巻取軸４０の間に張架され、搬送経路に沿って繰出軸２０から巻取軸４０へと搬送される。そして、プリンター１では、この搬送経路に沿って搬送されるシートＳに対して画像が記録される。シートＳは、紙系やフィルム系等であり、例えば、紙系としては上質紙、キャスト紙、アート紙、コート紙等であり、フィルム系としては合成紙、ＰＥＴ（Polyethylene terephthalate）、ＰＰ（polypropylene）等である。
【００１６】
繰出部２は、シートＳの端を巻き付けた繰出軸２０と、繰出軸２０から引き出されたシートＳを巻き掛ける従動ローラー等とを有する。シートＳが巻き付けられた繰出軸２０は収容部１５（１５ｂ）に収納されている。繰出軸２０は、シートＳの表面を外側に向けた状態で、シートＳの端を巻き付けて支持する。そして、繰出軸２０が図１の時計回りに回転することで、繰出軸２０に巻き付けられたシートＳが従動ローラーを経由してプロセス部３へと繰り出される。なお、シートＳは、繰出軸２０に着脱自在な芯管（図示省略）を介して繰出軸２０に巻き付けられている。したがって、繰出軸２０のシートＳが使い切られた際には、開口部１１（１１ｂ）を介してロール状のシートＳが巻き付けられた新たな芯管を繰出軸２０に装着して、繰出軸２０のシートＳを取り換えることが可能となっている。
【００１７】
プロセス部３は、繰出部２から繰り出されたシートＳをプラテンドラム３０で支持しつつ、プラテンドラム３０の外周面に沿って配置された記録ヘッド５１，５２等によりシートＳ上に画像を記録するものである。
【００１８】
プラテンドラム３０は図示を省略する支持機構により回転自在に支持された円筒形状のドラムであり、搬送されるシートＳを裏面側から巻き掛ける。このプラテンドラム３０は、シートＳとの間の摩擦力を受けてシートＳの図中の搬送方向Ｄｓに従動回転しつつ、シートＳを裏面側から支持するものである。
【００１９】
そして、プロセス部３では、プラテンドラム３０に支持されるシートＳの表面に対してカラー画像を記録するために、互いに異なる色の液体としてのインクに対応した複数の記録ヘッド５１が設けられている。例えば、イエロー、シアン、マゼンタおよびブラックに対応する４個の記録ヘッド５１が、この色順で搬送方向Ｄｓに配置されている。また、記録ヘッド５１に対して搬送方向Ｄｓの下流側には、記録ヘッド５２が設けられている。記録ヘッド５２は、例えば、透明インクを吐出するものである。各記録ヘッド５１，５２は、プラテンドラム３０に巻き掛けられたシートＳの表面に対して若干のクリアランスを空けて対向しており、対応する色のインクをインクジェット方式で吐出する。そして、搬送方向Ｄｓへ搬送されるシートＳに対して各記録ヘッド５１がインクを吐出することで、シートＳの表面にカラー画像が形成される。
【００２０】
インクとしては、例えば、紫外線（光）を照射することで硬化する紫外線硬化インクが用いられる。そして、プロセス部３では、紫外線硬化インクを硬化させてシートＳに定着させるために、紫外線照射部（ＵＶランプ）６１，６２，６３が設けられている。
【００２１】
巻取部４は、筐体１０内に設けられた収容部１５（１５ａ）に収納されている。そして、巻取部４は、シートＳの端を巻き付けた巻取軸４０を有している。巻取軸４０は、シートＳの表面を外側に向けた状態で、シートＳの端を巻き取って支持する。すなわち、巻取軸４０が図１の時計回りに回転すると、搬送されてきたシートＳがローラーを経由して巻取軸４０に巻き取られる。なお、シートＳは、巻取軸４０に着脱自在な芯管（図示省略）を介して巻取軸４０に巻き取られる。したがって、巻取軸４０に巻き取られたシートＳが満杯になった際には、開口部１１（１１ａ）を介して芯管ごとシートＳを取り外すことが可能となっている。
【００２２】
次に、プリンター１の外観について説明する。図２は、プリンターの外観を示す外観図である。プリンター１は、筐体１０が設けられ、当該筐体１０内に繰出部２、プロセス部３及び巻取部４が収容されている。筐体１０により、筐体１０内部の各部へのごみや塵の進入を防ぐとともに、作業の安全性を確保することができる。筐体１０は、例えば、ステンレス鋼の板材で形成されている。
【００２３】
筐体１０には、収容部１５（１５ａ，１５ｂ）に対応する各開口部１１（１１ａ，１１ｂ）を塞ぐカバー１３（１３ａ，１３ｂ）が設けられている。当該カバー１３（１３ａ，１３ｂ）は開閉可能に構成され、例えば、開口部１１ａから巻取部４のシートＳを取り外す場合に、カバー１３ａが開かれる。そして、開口部１１から巻取部４のシートＳを取り外す等の作業以外のときは当該カバー１３によって開口部１１が塞がれる。これにより、巻取部４へのごみや塵の進入を防ぐとともに、作業の安全性を確保することができる。
【００２４】
また、プリンター１には、当該プリンター１を制御する制御部を含むメインパネル１１０と、表示部としての液晶ディスプレー等で構成されるモニター１１１と、入力部としてのキーボード１１２やマウス１１３が設けられている。モニター１１１には、画像対象の画像の他にメニュー画面が表示される。したがって、作業者は、モニター１１１を確認しつつキーボード１１２等で操作することで、メニュー画面から画像設定画面を開いて、媒体（シートＳ）の種類、媒体（シートＳ）のサイズ、画像品質等の各種の画像形成条件を設定することができる。そして、これらのメインパネル１１０、モニター１１１、キーボード１１２やマウス１１３等はほぼ一か所にまとまって配置されている。これにより、作業者の操作作業が容易となる。また、本実施形態では、これらのメインパネル１１０、モニター１１１、キーボード１１２やマウス１１３が巻取部４に対応するカバー１３ａの付近に配置されている。このため、プリンター１の制御操作と巻取部４のシートＳの交換作業とを効率よく行うことができる。
【００２５】
また、図２に示すように、カバー１３ａの上方で且つ筐体１０に連結されたテーブル１９が配置されている。本実施形態のテーブル１９は略矩形を成している。テーブル１９には、上記キーボード１１２やマウス１１３等が載置される。テーブル１９は、筐体１０から水平方向に出っ張った状態で配置されている。また、当該テーブル１９の水平位置はプリンター１が設置される設置面から７０ｃｍから１２０ｃｍの位置にある。このようにすれば、作業者が楽な姿勢で操作することが可能となり、作業性が向上する。
【００２６】
そして、テーブル１９は、筐体１０から突出する水平位置に位置させることが可能に構成されるとともに水平位置よりも上方に折り畳むことが可能に構成されている。図３は、テーブル周辺の構成を示す一部拡大図である。
【００２７】
図３に示すように、テーブル１９は、略平坦な平坦面１９ａを有する板状材で構成されている。平坦面１９ａにはキーボード１１２やマウス１１３等を載置することができる。なお、必要に応じて、平坦面１９ａにキーボード１１２等を固定してもよい。そして、テーブル１９とカバー１３ａの上方の筐体１０の一部とが連結されている。本実施形態では、テーブル１９の一方端と筐体１０とが蝶番１３０（本実施形態では３つの蝶番１３０）によって連結されている。当該蝶番１３０により、テーブル１９を水平位置に維持できるとともに水平位置よりも上方に折り畳むことが可能となる。すなわち、テーブル１９は、水平位置から水平位置よりも上方まで可動する。
【００２８】
また、プリンター１には、テーブル１９を固定する固定部１４０を有し、当該固定部１４０は、テーブル１９を水平位置と水平位置よりも上方にテーブル１９を折り畳んだ位置とに固定可能に構成されている。本実施形態の固定部１４０は、テーブル１９を水平位置と水平位置よりも上方にテーブル１９を折り畳んだ位置との２箇所に固定可能に構成されている。
【００２９】
固定部１４０は、テーブル側プレート１５０と筐体側固定部１６０とから構成されている。テーブル側プレート１５０は、第１プレート１５１と、第２プレート１５２と、第１プレート１５１と第２プレート１５２とを係合する係合ピン１５３とを有している。そして、係合ピン１５３のピン軸回りに第１プレート１５１と第２プレート１５２とが互いに回動するように構成されている。なお、本実施形態では、２つの固定部１４０が、テーブル１９に対して配置されている。具体的には、テーブル１９の蝶番１３０が設けられている一方端に対応する辺に対して交差する辺の各端部にテーブル側プレート１５０が配置されている。そして、テーブル１９には第１プレート１５１が固定されている。
【００３０】
第２プレート１５２の一方端辺側には、第１凹部１５２ａと第２凹部１５２ｂとが設けられている。そして、テーブル１９の蝶番１３０が配置された一方端とは反対側の他方端１９ｂ（先端部）から第１凹部１５２ａまでの距離が、テーブル１９の他方端１９ｂ（先端部）から第２凹部１５２ｂまでの距離よりも長くなるように構成されている。そして、筐体１０側には、筐体側固定部１６０が配置されている。筐体側固定部１６０には、板状の外装で形成され、筐体側固定部１６０の一部には第２プレート１５２の可動範囲を規制するスリット１６１が設けられ、当該スリット１６１に第２プレート１５２の一部が挿入されている。また、スリット１６１の下方の一端部は、第２プレート１５２に設けられた第１凹部１５２ａまたは第２凹部１５２ｂと係合する係合部１６２を有している。係合部１６２は、側面視において第１及び第２凹部１５２ａ，１５２ｂの幅寸法以下の厚みを有している。すなわち、第１及び第２凹部１５２ａ，１５２ｂが係合部１６２に引掛けられる厚み寸法で係合部１６２が構成されている。
【００３１】
次いで、テーブル１９の水平位置と水平位置よりも上方に折り畳んだ位置とに固定する方法について説明する。図４は、テーブル１９の固定方法を示し、図４（ａ）は、テーブル１９の水平位置での固定方法を示し、図４（ｂ）は、テーブル１９の水平位置よりも上方に折り畳んだ位置での固定方法を示している。
【００３２】
まず、テーブル１９を水平位置に固定する方法について説明する。図４（ａ）に示すように、テーブル１９の平坦面１９ａが水平に位置されている。このとき、係合部１６２に対して第１凹部１５２ａが係合されている。すなわち、係合部１６２に第１凹部１５２ａが引掛けられている。これにより、テーブル１９の水平位置よりも下方への負荷を低減させることができる。従って、蝶番１３０への負荷が低減され、さらに、テーブル１９上でのキーボード１１２の操作等を安全に行うことができる。
【００３３】
次に、テーブル１９を水平位置より上方に折り畳んだ位置に固定する方法について説明する。図４（ｂ）に示すように、テーブル１９が水平位置よりも上方に位置されている。この場合、例えば、図４（ａ）において水平位置のテーブル１９を上方に押し上げると、蝶番１３０により、筐体１０に対してテーブル１９が折り畳められる。そして、第２プレート１５２の先端部が筐体側固定部１６０の内部方向に移動する。すると、係合部１６２から第１凹部１５２ａが外れる。そして、さらにテーブル１９を上方に押し上げて（テーブル１９をさらに折り畳む）と、係合部１６２に第２凹部１５２ｂが引掛けられている。これにより、テーブル１９は、水平位置よりも上方に位置において固定される。なお、テーブル１９の平坦面１９ａが水平位置から水平位置よりも上方に移動して固定される位置の角度θは、例えば、５０°〜８０°で適宜設定することができる。この場合、第２プレート１５２における第２凹部１５２ｂの配置位置を変更することにより、容易にテーブル１９が水平位置から水平位置よりも上方に移動して固定される位置の角度θを設定することができる。
【００３４】
なお、水平位置から上方に固定されテーブル１９（図４（ｂ））を水平位置（図４（ａ））に移動させる場合には、第２プレート１５２を上方に移動させることにより、第２凹部１５２ｂを係合部１６２から退避させる。すると、テーブル１９は下方に移動可能となる。そして、テーブル１９が水平位置となると、係合部１６２に第２プレート１５２の第１凹部１５２ａが係合され、テーブル１９が水平位置で固定される。
【００３５】
次に、本実施形態のプリンターにおけるシートの交換方法について説明する。図５は、用紙（シートＳ）の交換時の状態を示す説明図である。巻取軸４０に巻き取られたシートＳが満杯になった際には、芯管ごとシートＳを取り外すことになる。この場合、まず、カバー１３ａを開け、開口部１１ａからシートＳを取り出すことになる。ところで、開口部１１ａからシートＳを取り出す際、作業者或いはシートＳを交換するための交換治具が開口部１１ａに近づいたとき、テーブル１９が水平に位置し、筐体１０から出っ張っているため、作業の邪魔となる可能性が高い。そこで、本実施形態では、図５に示すように、カバー１３ａを開け、開口部１１ａからシートＳを取り出す際、テーブル１９を水平位置よりも上方に折り畳み、テーブル１９を水平位置よりも上方の位置で固定する。これにより、テーブル１９が筐体１０側に折り畳められるため、作業領域が広がりシートＳの交換作業を効率よく実施することができる。
【００３６】
以上、上記実施形態によれば、以下の効果を得ることができる。
【００３７】
カバー１３ａの上方の筐体１０に蝶番１３０で連結されたテーブル１９は、水平位置から水平位置よりも上方に折り畳みが可能であるとともに、固定部１４０により水平位置と水平位置よりも上方に折り畳んだ位置とで固定される。従って、テーブル１９を水平位置で固定して、例えば、テーブル上にキーボード１１２等の入力装置を載置することにより、入力作業を容易に行うことができる。また、収容部１５ａからシートＳを取り付け或いは取り外しする際には、テーブル１９を折り畳み、テーブル１９を水平位置よりも上方に位置させことにより、筐体１０に対するテーブル１９の出っ張り量が低減されるため、テーブル１９がシートＳの交換作業の邪魔になることが無くなり、効率よく安全に作業を行うことができる。
【００３８】
なお、本発明は上述した実施形態に限定されず、上述した実施形態に種々の変更や改良などを加えることが可能である。変形例を以下に述べる。
【００３９】
（変形例１）上記実施形態のプリンター１は、シートＳをプラテンドラム３０で支持する構成としたが、この構成に限定されない。プラテンはドラム方式でなく、平坦な面を有してシートＳ（用紙）を支持するテーブルを用いた構成であってもよい。このようにしても、上記効果と同様の効果を得ることができる。
【００４０】
（変形例２）上記実施形態では、巻取部４に対応する位置にテーブル１９を配置したが、この構成に限定されない。例えば、繰出部２側にテーブル１９を配置した構成であってもよい。この場合、メインパネル１１０やモニター１１１等もテーブル１９側に配置することが好ましい。このようにしても、テーブル１９を水平位置よりも上方に折り畳むことにより、繰出部２のシートＳを取り換える際の作業効率を高めることができる。
【００４１】
（変形例３）上記実施形態では、テーブル１９を水平位置と水平位置よりも上方にテーブル１９を折り畳んだ位置との２箇所で固定する構成としたが、これに限定されない。３箇所以上の位置でテーブル１９を固定する構成であってもよい。この場合、第２プレート１５２における第１及び第２凹部１５２ａ，１５２ｂの他にさらに第２プレート１５２に凹部を形成することにより、所望の位置に固定することが可能となる。このようにすれば、各種作業に応じてテーブル１９の位置を所望の位置で固定することができる。
【符号の説明】
【００４２】
１…プリンター、２…繰出部、３…プロセス部、４…巻取部、１０…筐体、１１，１１ａ，１１ｂ…開口部、１３，１３ａ，１３ｂ…カバー、１５，１５ａ，１５ｂ…収容部、１９…テーブル、１９ａ…平坦面、１９ｂ…他方端、２０…繰出軸、３０…プラテンドラム、４０…巻取軸、５１，５２…各記録ヘッド、１１０…メインパネル、１１１…モニター、１１２…キーボード、１１３…マウス、１３０…蝶番、１４０…固定部、１５０…テーブル側プレート、１５１…第１プレート、１５２…第２プレート、１５２ａ…第１凹部、１５２ｂ…第２凹部、１５３…係合ピン、１６０…筐体側固定部、１６１…スリット、１６２…係合部。
【図１】
2015033805.tif 000003
【図２】
2015033805.tif 000004
【図３】
2015033805.tif 000005
【図４】
2015033805.tif 000006
【図５】
2015033805.tif 000007